(57)【要約】【課題】ユーザは、処理対象の画像に適用されたホワイトバランスゲインが例えば過去の画像など、処理対象以外の他の画像に対してホワイトバランス処理を施す際に算出されたものか否かを把握することができない。【解決手段】画像処理装置を、第１の画像に所定の処理を施す処理手段と、第１の画像とは異なる画像から算出された所定の処理に関する処理パラメータを用いて第１の画像に対して所定の処理を施したことを示す処理通知情報を通知する通知手段より構成する。【選択図】図３
2015204589.tif 000002
【特許請求の範囲】
【請求項１】
第１の画像に所定の処理を施す処理手段と、
前記第１の画像とは異なる画像から算出された前記所定の処理に関する処理パラメータを用いて該第１の画像に対して該所定の処理を施したことを示す処理通知情報を通知する通知手段と、
を備える、
画像処理装置。
【請求項２】
前記通知手段は、
前記処理通知情報を所定の表示画面に表示させる、
請求項１に記載の画像処理装置。
【請求項３】
前記処理通知情報は、
特定のアイコンである、
請求項２に記載の画像処理装置。
【請求項４】
前記第１の画像とは異なる第２の画像に対して前記所定の処理を施す際に算出された処理パラメータを記憶する処理パラメータ記憶手段
を備え、
前記処理通知情報は、
前記第２の画像に対して前記所定の処理を施す際に算出された処理パラメータを用いて前記第１の画像に対して該所定の処理を施したことを示す情報を含む、
請求項１から請求項３の何れか一項に記載の画像処理装置。
【請求項５】
前記処理通知情報は、
前記第２の画像のファイル名及びサムネイル画像の少なくとも一方を含む、
請求項２を引用する請求項４に記載の画像処理装置。
【請求項６】
前記第２の画像に対して前記所定の処理を施す際に算出された処理パラメータは、
前記第２の画像を解析することによって得られるパラメータである、
請求項４又は請求項５に記載の画像処理装置。
【請求項７】
前記第２の画像に対して前記所定の処理を施す際に算出された処理パラメータは、
前記第２の画像に対してホワイトバランス処理を施す際に算出されたホワイトバランスゲインである、
請求項４から請求項６の何れか一項に記載の画像処理装置。
【請求項８】
前記処理通知情報は、
前記ホワイトバランスゲインを算出する際の基準点として選択された前記第２の画像内の座標情報を含む、
請求項７に記載の画像処理装置。
【請求項９】
前記処理通知情報を前記第１の画像に関連付けて記憶する処理通知情報記憶手段
を備える、
請求項１から請求項８の何れか一項に記載の画像処理装置。
【請求項１０】
第１の画像に所定の処理を施す処理手段と、
前記第１の画像とは異なる画像から算出された前記所定の処理に関する処理パラメータを用いて該第１の画像に対して該所定の処理を施したことを示す処理通知情報を、該第１の画像に関連付けて記憶する処理通知情報記憶手段と、
を備える、
画像処理装置。
【請求項１１】
第１の画像に所定の処理を施す処理ステップと、
前記第１の画像とは異なる画像から算出された前記所定の処理に関する処理パラメータを用いて該第１の画像に対して該所定の処理を施したことを示す処理通知情報を通知する通知ステップと、
を含む、
画像処理方法。
【請求項１２】
前記通知ステップにて、
前記処理通知情報が所定の表示画面に表示される、
請求項１１に記載の画像処理方法。
【請求項１３】
前記処理通知情報は、
特定のアイコンである、
請求項１２に記載の画像処理方法。
【請求項１４】
前記第１の画像とは異なる第２の画像に対して前記所定の処理を施す際に算出された処理パラメータを記憶する処理パラメータ記憶ステップを含み、
前記処理通知情報は、
前記第２の画像に対して前記所定の処理を施す際に算出された処理パラメータを用いて前記第１の画像に対して該所定の処理を施したことを示す情報を含む、
請求項１１から請求項１３の何れか一項に記載の画像処理方法。
【請求項１５】
前記処理通知情報は、
前記第２の画像のファイル名及びサムネイル画像の少なくとも一方を含む、
請求項１２を引用する請求項１４に記載の画像処理方法。
【請求項１６】
前記第２の画像に対して前記所定の処理を施す際に算出された処理パラメータは、
前記第２の画像を解析することによって得られるパラメータである、
請求項１４又は請求項１５に記載の画像処理方法。
【請求項１７】
前記第２の画像に対して前記所定の処理を施す際に算出された処理パラメータは、
前記第２の画像に対してホワイトバランス処理を施す際に算出されたホワイトバランスゲインである、
請求項１４から請求項１６の何れか一項に記載の画像処理方法。
【請求項１８】
前記処理通知情報は、
前記ホワイトバランスゲインを算出する際の基準点として選択された前記第２の画像内の座標情報を含む、
請求項１７に記載の画像処理方法。
【請求項１９】
前記処理通知情報を前記第１の画像に関連付けて記憶する処理通知情報記憶ステップ
を含む、
請求項１１から請求項１８の何れか一項に記載の画像処理方法。
【請求項２０】
第１の画像に所定の処理を施す処理ステップと、
前記第１の画像とは異なる画像から算出された前記所定の処理に関する処理パラメータを用いて該第１の画像に対して該所定の処理を施したことを示す処理通知情報を、該第１の画像に関連付けて記憶する処理通知情報記憶ステップと、
を含む、
画像処理方法。
【請求項２１】
請求項１１から請求項２０の何れか一項に記載の画像処理方法をコンピュータに実行させるための画像処理プログラム。
【請求項２２】
他の画像に対して所定の処理を施す際に算出された処理パラメータを用いて該所定の処理が施された対象画像のデータ構造であって、
前記データ構造は、
前記対象画像の画像自体のデータ及び該対象画像の属性情報のデータ
を含み、
前記属性情報は、
前記他の画像に対して所定の処理を施す際に算出された処理パラメータを用いて前記対象画像に対して該所定の処理を施したことを示す情報を含む、
画像のデータ構造。
【請求項２３】
請求項２１に記載の画像処理プログラムを記憶したコンピュータ読み取り可能な記憶媒体又は請求項２２に記載の画像のデータ構造を記録したコンピュータ読み取り可能な記録媒体。
【発明の詳細な説明】
【技術分野】
【０００１】
本発明は、画像処理装置、画像処理方法、画像処理プログラム、画像のデータ構造及びコンピュータ読み取り可能な記録媒体に関する。
【背景技術】
【０００２】
例えばＰＣ（Personal Computer）等の画像処理装置を用いることにより、撮影時と異なるホワイトバランス処理を撮影画像に施すことができる。ホワイトバランス処理で用いられるホワイトバランスゲインには、例えば、屋外や室内など、典型的な撮影シーンに応じたプリセットのホワイトバランスゲインや、画像データの無彩色部分（いわゆるグレー点）から算出されるホワイトバランスゲイン（以下、「グレー点設定ホワイトバランスゲイン」と記す。）が挙げられる。
【０００３】
また、特許文献１には、過去に撮影された画像のホワイトバランス処理で用いられたホワイトバランスゲインを読み出し、読み出されたホワイトバランスゲインを用いて処理対象の画像のホワイトバランス処理を行う構成が記載されている。
【先行技術文献】
【特許文献】
【０００４】
【特許文献１】特開２００４−４８５２３号公報
【発明の概要】
【発明が解決しようとする課題】
【０００５】
しかし、特許文献１に記載の構成では、ユーザは、処理対象の画像に適用されたホワイトバランスゲインが例えば過去の画像など、処理対象以外の他の画像に対してホワイトバランス処理を施す際に算出されたものか否かを把握することができない。
【０００６】
本発明は上記の事情に鑑みてなされたものであり、その目的とするところは、画像に適用されたホワイトバランスゲイン等の処理パラメータが当該画像以外の画像に対して処理を施す際に算出されたものか否かをユーザに把握させることが可能な画像処理装置、画像処理方法、画像処理プログラム、画像のデータ構造及びコンピュータ読み取り可能な記録媒体を提供することである。
【課題を解決するための手段】
【０００７】
本実施形態の画像処理装置は、第１の画像に所定の処理を施す処理手段と、第１の画像とは異なる画像から算出された所定の処理に関する処理パラメータを用いて第１の画像に対して所定の処理を施したことを示す処理通知情報を通知する通知手段とを備える。
【０００８】
通知手段は、処理通知情報を所定の表示画面に表示させる構成としてもよい。
【０００９】
処理通知情報は、例えば特定のアイコンである。
【００１０】
また、本実施形態の画像処理装置は、第１の画像とは異なる第２の画像に対して所定の処理を施す際に算出された処理パラメータを記憶する処理パラメータ記憶手段を備えた構成としてもよい。この場合、処理通知情報は、第２の画像に対して所定の処理を施す際に算出された処理パラメータを用いて第１の画像に対して所定の処理を施したことを示す情報を含むものとしてもよい。
【００１１】
また、処理通知情報は、第２の画像のファイル名及びサムネイル画像の少なくとも一方を含むものとしてもよい。
【００１２】
第２の画像に対して所定の処理を施す際に算出された処理パラメータは、例えば第２の画像を解析することによって得られるパラメータである。
【００１３】
また、第２の画像に対して所定の処理を施す際に算出された処理パラメータは、第２の画像に対してホワイトバランス処理を施す際に算出されたホワイトバランスゲインであってもよい。
【００１４】
また、処理通知情報は、ホワイトバランスゲインを算出する際の基準点として選択された第２の画像内の座標情報を含むものとしてもよい。
【００１５】
本実施形態の画像処理装置は、処理通知情報を第１の画像に関連付けて記憶する処理通知情報記憶手段を備える構成としてもよい。
【００１６】
また、本実施形態の画像処理装置は、第１の画像に所定の処理を施す処理手段と、第１の画像とは異なる画像から算出された所定の処理に関する処理パラメータを用いて第１の画像に対して所定の処理を施したことを示す処理通知情報を、第１の画像に関連付けて記憶する処理通知情報記憶手段とを備える。
【００１７】
本実施形態の画像処理方法は、第１の画像に所定の処理を施す処理ステップと、第１の画像とは異なる画像から算出された所定の処理に関する処理パラメータを用いて第１の画像に対して所定の処理を施したことを示す処理通知情報を通知する通知ステップとを含む。
【００１８】
また、本実施形態の画像処理方法は、第１の画像に所定の処理を施す処理ステップと、第１の画像とは異なる画像から算出された所定の処理に関する処理パラメータを用いて第１の画像に対して所定の処理を施したことを示す処理通知情報を、第１の画像に関連付けて記憶する処理通知情報記憶ステップとを含む。
【００１９】
本実施形態の画像処理プログラムは、上記の画像処理方法をコンピュータに実行させるためのプログラムである。
【００２０】
本実施形態の画像のデータ構造は、他の画像に対して所定の処理を施す際に算出された処理パラメータを用いて所定の処理が施された対象画像のデータ構造であり、対象画像の画像自体のデータ及び対象画像の属性情報のデータを含む。属性情報は、他の画像に対して所定の処理を施す際に算出された処理パラメータを用いて対象画像に対して所定の処理を施したことを示す情報を含む。
【００２１】
本実施形態のコンピュータ読み取り可能な記録媒体は、上記の画像処理プログラム又は上記の画像のデータ構造を記録したものである。
【発明の効果】
【００２２】
本実施形態によれば、画像に適用されたホワイトバランスゲイン等の処理パラメータが当該画像以外の画像に対して処理を施す際に算出されたものか否かをユーザに把握させることが可能な画像処理装置、画像処理方法、画像処理プログラム、画像のデータ構造及びコンピュータ読み取り可能な記録媒体が提供される。
【図面の簡単な説明】
【００２３】
【図１】本発明の実施形態の撮影装置の構成を示すブロック図である。
【図２】本発明の実施形態の端末装置の構成を示すブロック図である。
【図３】本発明の実施形態の画像処理アプリケーションを用いて実行されるホワイトバランス処理のフローチャートを示す図である。
【図４】本発明の実施形態の画像処理アプリケーションを用いてホワイトバランス処理を実行する過程で端末装置のディスプレイに表示される画面例を示す図である。
【図５】本発明の実施形態の変形例において表示される処理対象画像のホワイトバランス設定のダイアログボックスを示す図である。
【発明を実施するための形態】
【００２４】
以下、本発明の実施形態について図面を参照しながら説明する。以下においては、本発明の一実施形態として、撮影装置により撮影された画像を端末装置上で後処理するケースを説明する。本実施形態において、撮影装置はデジタル一眼レフカメラであり、端末装置はデスクトップＰＣである。なお、撮影装置は、デジタル一眼レフカメラに限らず、例えば、ミラーレス一眼カメラ、コンパクトデジタルカメラ、カムコーダ、タブレット端末、ＰＨＳ（Personal Handy phone System）、スマートフォン、フィーチャフォン、携帯ゲーム機など、撮影機能を有する別の形態の装置に置き換えてもよい。また、端末装置は、デスクトップＰＣに限らず、ノートＰＣ、タブレット端末、ＰＨＳ、スマートフォン、スマートフォン、フィーチャフォン、携帯ゲーム機など、既存の画像に対して後処理を施すことが可能な別の形態の装置に置き換えてもよい。また、本実施形態における後処理は、デジタル一眼レフカメラ等の撮影装置自体が行えるようにしてもよい。
【００２５】
［撮影装置１の構成］
図１は、本実施形態の撮影装置１の構成を示すブロック図である。図１に示されるように、撮影装置１は、ＣＰＵ（Central Processing Unit）１００、操作部１０２、絞り・シャッタ駆動回路１０４、撮影レンズ１０６、絞り１０８、シャッタ１１０、イメージセンサ１１２、信号処理回路１１４、画像処理エンジン１１６、バッファメモリ１１８、カード用インタフェース１２０、ＬＣＤ（Liquid Crystal Display）制御回路１２２、ＬＣＤ１２４及びＲＯＭ（Read Only Memory）１２６を備えている。
【００２６】
操作部１０２には、電源スイッチやレリーズスイッチ、撮影モードスイッチなど、ユーザが撮影装置１を操作するために必要な各種スイッチが含まれる。ユーザにより電源スイッチが押されると、図示省略されたバッテリから撮影装置１の各種回路に電源ラインを通じて電源供給が行われる。ＣＰＵ１００は電源供給後、ＲＯＭ１２６にアクセスして制御プログラムを読み出してワークエリア（不図示）にロードし、ロードされた制御プログラムを実行することにより、撮影装置１全体の制御を行う。
【００２７】
レリーズスイッチが操作されると、ＣＰＵ１００は、撮影装置１に内蔵されたＴＴＬ（Through The Lens）露出計（不図示）で測定された測光値に基づき適正露出が得られるように、絞り・シャッタ駆動回路１０４を介して絞り１０８及びシャッタ１１０を駆動制御する。より詳細には、絞り１０８及びシャッタ１１０の駆動制御は、プログラムＡＥ（Automatic Exposure）、シャッタ速度優先ＡＥ、絞り優先ＡＥなど、撮影モードスイッチにより指定されるＡＥ機能に基づいて行われる。また、ＣＰＵ１００はＡＥ制御と併せてＡＦ（Autofocus）制御を行う。ＡＦ制御には、アクティブ方式、位相差検出方式、コントラスト検出方式等が適用される。なお、この種のＡＥ及びＡＦの構成及び制御については周知であるため、ここでの詳細な説明は省略する。
【００２８】
被写体からの光束は、撮影レンズ１０６、絞り１０８、シャッタ１１０を通過してイメージセンサ１１２により受光される。イメージセンサ１１２は、例えばベイヤ型画素配置を有する単板式カラーＣＣＤ（Charge Coupled Device）イメージセンサであり、受光面上の各画素で結像した光学像を光量に応じた電荷として蓄積して、Ｒ（Red）、Ｇ（Green）、Ｂ（Blue）の各色に応じた撮像信号に変換し信号処理回路１１４に出力する。なお、イメージセンサ１１２は、例えばＣＭＯＳ（Complementary Metal Oxide Semiconductor）イメージセンサ等の他のイメージャであってもよい。
【００２９】
信号処理回路１１４は、イメージセンサ１１２より入力される電気信号（撮影データ）に対してクランプ、デモザイク等の所定の信号処理を施して、画像処理エンジン１１６に出力する。画像処理エンジン１１６は、信号処理回路１１４より入力される信号に対してマトリクス演算、Ｙ／Ｃ分離、ホワイトバランス等の所定の信号処理を施して輝度信号Ｙ、色差信号Ｃｂ、Ｃｒを生成し、ＪＰＥＧ（Joint Photographic Experts Group）等の所定のフォーマットで圧縮する。バッファメモリ１１８は、画像処理エンジン１１６による処理の実行時、処理データの一時的な保存場所として用いられる。また、撮影画像の保存形式は、ＪＰＥＧ形式に限らず、最小限の画像処理（例えばクランプ）しか施されないＲＡＷ形式であってもよい。
【００３０】
カード用インタフェース１２０のカードスロットには、メモリカード２００が着脱可能に差し込まれている。
【００３１】
画像処理エンジン１１６は、カード用インタフェース１２０を介してメモリカード２００と通信可能である。画像処理エンジン１１６は、生成された圧縮画像信号（撮影画像データ）をメモリカード２００（又は撮影装置１に備えられる不図示の内蔵メモリ）に保存する。
【００３２】
また、画像処理エンジン１１６は、生成された輝度信号Ｙ、色差信号Ｃｂ、Ｃｒをフレームメモリ（不図示）にフレーム単位でバッファリングする。画像処理エンジン１１６は、バッファリングされた信号を所定のタイミングで各フレームメモリから掃き出して所定のフォーマットのビデオ信号に変換し、ＬＣＤ制御回路１２２に出力する。ＬＣＤ制御回路１２２は、画像処理エンジン１１６より入力される画像信号を基に液晶を変調制御する。これにより、被写体の撮影画像がＬＣＤ１２４の表示画面に表示される。ユーザは、ＡＥ制御及びＡＦ制御に基づいて適正な輝度及びピントで撮影されたリアルタイムのスルー画を、ＬＣＤ１２４の表示画面を通じて視認することができる。
【００３３】
画像処理エンジン１１６は、ユーザにより撮影画像の再生操作が行われると、操作により指定された撮影画像データをメモリカード２００又は内蔵メモリより読み出して所定のフォーマットの画像信号に変換し、ＬＣＤ制御回路１２２に出力する。ＬＣＤ制御回路１２２が画像処理エンジン１１６より入力される画像信号を基に液晶を変調制御することで、被写体の撮影画像がＬＣＤ１２４の表示画面に表示される。
【００３４】
［端末装置３の構成］
図２に示されるように、端末装置３は、ＣＰＵ３００、ＲＡＭ（Random Access Memory）等の主記憶装置３０２、ＨＤＤ（Hard Disk Drive）等の補助記憶装置３０４、カード用インタフェース３０６、操作部３０８及びディスプレイ３１０を備えている。
【００３５】
ＣＰＵ３００は、端末装置３の電源投入後、必要なハードウェアにアクセスする。端末装置３の電源投入直後、ＣＰＵ３００は、補助記憶装置３０４にアクセスしてＯＳ（Operating System）３０４ａを読み出して、主記憶装置３０２にロードして起動させる。以後、ＣＰＵ３００とＯＳ３０４ａとが協働することにより、端末装置３による各種処理が実行される。例えば、補助記憶装置３０４には、画像処理アプリケーション３０４ｂをはじめとする複数種類のアプリケーションがインストールされている。各種アプリケーションは、ＯＳ３０４ａによるリソース及びプロセスの管理下で動作する。
【００３６】
［ホワイトバランス処理］
画像処理アプリケーション３０４ｂは、画像に対して後処理を施す機能を備えている。補助記憶装置３０４には、カード用インタフェース３０６に差し込まれたメモリカード２００から、撮影装置１の撮影画像データがコピーされている。ここでは、補助記憶装置３０４に保存された撮影画像に対する後処理としてホワイトバランス処理を施すケースを説明する。図３は、画像処理アプリケーション３０４ｂを用いて実行されるホワイトバランス処理のフローチャートを示す。また、図４は、画像処理アプリケーション３０４ｂを用いてホワイトバランス処理を実行する過程でディスプレイ３１０に表示される画面例を示す。
【００３７】
［図３のＳ１１（初期画面の表示）］
本処理ステップＳ１１では、画像処理アプリケーション３０４ｂの起動に伴い、図４（ａ）に例示される初期画面がディスプレイ３１０に表示される。図４（ａ）に示されるように、画像処理アプリケーション３０４ｂの初期画面には、画像表示領域４０２、属性情報表示領域４０４及びサムネイル表示領域４０６がレイアウトされる。初期画面において、画像表示領域４０２及び属性情報表示領域４０４の表示はブランクである。サムネイル表示領域４０６には、デフォルト設定のフォルダ内又はユーザ指定のフォルダ内に保存されている画像（ＪＰＥＧ画像データやＲＡＷ画像データ等）のサムネイルが表示される。図４の例では、撮影画像Ａ〜Ｄのサムネイルが表示される。撮影画像Ａ〜Ｄは、便宜上、同一光源下で撮影された画像とする。
【００３８】
［図３のＳ１２（ホワイトバランス処理用の基準画像のプレビューの表示）］
画像表示領域４０２には、ユーザにより選択されたサムネイルに対応する画像のプレビューが表示される。ユーザは、操作部３０８（マウス及びキーボード等）により表示画面上のポインタ４１２を操作することにより、サムネイルを選択することができる。本処理ステップＳ１２では、撮影画像Ａのサムネイルが選択され、選択された撮影画像Ａのプレビューが撮影画像表示領域４０２に表示される（図４（ｂ）参照）。本実施形態において、撮影画像Ａは、予めホワイトバランス処理用に撮影された基準画像である。具体的には、撮影画像Ａには、ホワイトバランス処理用のグレーカードやグレーチャートが撮影されている。グレーカードは、グレー（無彩色かつ特定の反射率（例えば１８％）を持つもの）で塗布されたカードである。また、グレーチャートは、反射率の異なる複数のグレーのパッチが並べて配置されたチャートである。
【００３９】
［図３のＳ１３（プレビューされた画像の属性情報の表示）］
画像表示領域４０２に画像のプレビューが表示されると、属性情報表示領域４０４に、プレビューされている画像の属性情報が表示される。本処理ステップＳ１３では、撮影画像Ａの属性情報が属性情報表示領域４０４に表示される。属性情報には、例えば、画像のファイル名、作成日時、各種処理パラメータの情報等が含まれる。処理パラメータの情報には、ホワイトバランスゲインが含まれる。一部の属性情報（例えばファイル名やホワイトバランスゲイン）は、例えば、属性情報表示領域４０４に表示されたものを直接編集操作することにより、変更可能である。なお、属性情報のデータは、画像ファイルのメタ情報として保持されてもよく、また、画像ファイルとは別のファイルで管理されたデータであってもよい。いずれの場合も、画像とその属性情報は、関連付けられた状態で補助記憶装置３０４に記憶されている。
【００４０】
［図３のＳ１４（ホワイトバランス処理の設定メニューの表示）］
本処理ステップＳ１４では、ユーザの操作に従い、撮影画像Ａに対するホワイトバランス処理の設定メニューが表示される。本実施形態では、撮影画像Ａに対して特定の操作（例えば、撮影画像Ａのサムネイルを操作部３０８（マウス）で右クリックする、属性情報表示領域４０４に表示されているホワイトバランスゲインの項目を選択する等）が行われると、ホワイトバランス設定のダイアログボックスが表示される（図４（ｃ）参照）。図４（ｃ）に示されるように、ホワイトバランス設定のダイアログボックスには、「撮影時の設定」、「プリセット」、「グレー点設定」の各項目が表示される。
【００４１】
［図３のＳ１５（グレー点の設定）］
図４（ｃ）の画面においてユーザによりダイアログボックスの「グレー点設定」が選択された状態で「座標指定」が選択されると、ダイアログボックスが消去されると共に画像表示領域４０２上にポインタ４１４が表示される（図４（ｄ）参照）。本処理ステップＳ１５では、ユーザによるポインタ４１４の操作に従い撮影画像Ａ内の座標が指定されると、指定された座標がグレー点として設定される。指定される座標は、典型的には、グレーカードやグレーチャートのパッチが写る座標である。
【００４２】
［図３のＳ１６（グレー点設定ホワイトバランスゲインの算出）］
本処理ステップＳ１６では、処理ステップＳ１５（グレー点の設定）にて設定されたグレー点においてＲ信号、Ｇ信号、Ｂ信号の各出力レベルを等しくするためのグレー点設定ホワイトバランスゲインが算出される。撮影画像Ａは、算出されたグレー点設定ホワイトバランスゲインを用いてホワイトバランス処理される。以降、撮影画像Ａについてホワイトバランス設定のダイアログボックスが開かれると、図４（ｅ）に示されるように、「グレー点設定」の項目にアイコン４１６が付帯表示される。アイコン４１６は、画像に適用されたグレー点設定ホワイトバランスゲインが当該画像（ここでは撮影画像Ａ）から算出されていることを示す。
【００４３】
［図３のＳ１７（グレー点設定ホワイトバランスゲインの記憶）］
本処理ステップＳ１７では、処理ステップＳ１６（グレー点設定ホワイトバランスゲインの算出）にて算出されたグレー点設定ホワイトバランスゲインが補助記憶装置３０４に記憶される。
【００４４】
［図３のＳ１８（処理対象画像のプレビューの表示）］
本処理ステップＳ１８では、ユーザの操作により、後処理が施される対象画像が選択される。ここでは、撮影画像Ｂのサムネイルが選択され、選択された撮影画像Ｂのプレビューが撮影画像表示領域４０２に表示される（図４（ｆ）参照）。
【００４５】
［図３のＳ１９（プレビューされた画像の属性情報の表示）］
画像表示領域４０２に画像のプレビューが表示されると、属性情報表示領域４０４に、プレビューされている画像の属性情報が表示される。本処理ステップＳ１９では、撮影画像Ｂの属性情報が属性情報表示領域４０４に表示される。
【００４６】
［図３のＳ２０（グレー点設定ホワイトバランスゲインの適用）］
本処理ステップＳ２０では、ユーザによる操作に従い、処理ステップＳ１７（グレー点設定ホワイトバランスゲインの記憶）にて記憶されたグレー点設定ホワイトバランスゲインが読み出され、読み出されたグレー点設定ホワイトバランスゲインが撮影画像Ｂのホワイトバランスゲインとして適用される。すなわち、撮影画像Ｂは、撮影画像Ａと同一のホワイトバランスゲイン（処理ステップＳ１６で算出されたホワイトバランスゲイン）を用いてホワイトバランス処理される。
【００４７】
［図３のＳ２１（所定の属性情報の付加）］
撮影画像Ｂの属性情報には、適用されたホワイトバランスゲインに加えてそのホワイトバランスゲインが当該画像以外の画像（ここでは撮影画像Ｂ以外の画像）から算出されていることを示す情報が付加される。以降、撮影画像Ｂについてホワイトバランス設定のダイアログボックスが開かれると、図４（ｇ）に示されるように、「グレー点設定」の項目にアイコン４１８が付帯表示される。アイコン４１８は、画像に適用されたグレー点設定ホワイトバランスゲインが当該画像以外の画像（ここでは撮影画像Ｂ以外の画像）から算出されていることを示す。別の観点によれば、アイコン４１８は、他の画像に対してホワイトバランス処理を施す際に算出された処理パラメータを用いて撮影画像Ｂにホワイトバランス処理が施されていることを示す。
【００４８】
ユーザは、アイコン４１８を視認することにより、撮影画像Ｂに後処理として施されたホワイトバランス処理に、撮影画像Ｂ以外の画像から算出されたグレー点設定ホワイトバランスゲインが用いられていることを容易に把握することができる。
【００４９】
図５は、本実施形態の変形例で、ディスプレイ３１０に表示される処理対象画像のホワイトバランス設定のダイアログボックスを示す。図５の変形例では、アイコン４１８に代えて、処理対象画像に適用されたグレー点設定ホワイトバランスゲインの算出元画像（例えば撮影画像Ａ）のファイル名（図５中、「ＩＭＧＰ０００１」）が表示される。ユーザは、「グレー点設定」の項目に付帯表示されたファイル名を視認することにより、処理対象画像に後処理として施されたホワイトバランス処理に、撮影画像Ａから算出されたグレー点設定ホワイトバランスゲインが用いられていることを容易に把握することができる。グレー点設定ホワイトバランスゲインの算出元画像を特定する情報を表示させることにより、ユーザに、その算出元が妥当であるかを判断させることができる。
【００５０】
また、本変形例では、ファイル名に代えて又はファイル名に加えて、処理対象画像に適用されたグレー点設定ホワイトバランスゲインの算出元画像のサムネイルが表示されてもよい。また、本変形例では、ファイル名やサムネイルに加えて、処理ステップＳ１５（グレー点の設定）にて設定された算出元画像のグレー点の座標が表示されてもよい。
【００５１】
以上が本発明の例示的な実施形態の説明である。本発明の実施形態は、上記に説明したものに限定されず、本発明の技術的思想の範囲において様々な変形が可能である。例えば明細書中に例示的に明示される実施形態等又は自明な実施形態等を適宜組み合わせた内容も本願の実施形態に含まれる。
【００５２】
上記の実施形態では、グレー点設定ホワイトバランスゲインが自身から算出されていることがアイコン４１６によって通知され、グレー点設定ホワイトバランスゲインが自身以外の画像から算出されていることがアイコン４１８によって通知されているが、別の実施形態では、これらの通知が音声を用いて行われてもよい。
【符号の説明】
【００５３】
１  撮影装置
１００  ＣＰＵ
１０２  操作部
１０４  絞り・シャッタ駆動回路
１０６  撮影レンズ
１０８  絞り
１１０  シャッタ
１１２  イメージセンサ
１１４  信号処理回路
１１６  画像処理エンジン
１１８  バッファメモリ
１２０  カード用インタフェース
１２２  ＬＣＤ制御回路
１２４  ＬＣＤ
１２６  ＲＯＭ
２００  メモリカード
【図１】
2015204589.tif 000003
【図２】
2015204589.tif 000004
【図３】
2015204589.tif 000005
【図４】
2015204589.tif 000006
【図５】
2015204589.tif 000007